(57)【要約】      （修正有）【課題】手軽に携帯でき、生水ボトル又は保温瓶を簡単に締結して使用できる携帯用の加湿器を提供する。【解決手段】超音波振子１０と、超音波を発生させる回路部１１と、電源を供給するＵＳＢコネクター１２と、生水ボトル又は保温瓶を締結する給水筒結合部２１を有し、給水供給部３が装着され噴霧孔２２が上部に形成された本体２とから構成される。給水供給部３は、超音波振動子１０の下側に上段が接触されて水分を供給する円柱状フィルター３１と、この円柱状フィルター３１を収容しながら本体２の内側底面に形成された掛かりに差込み結合するように上段にフランジ３２部分が形成された支持管３３とから構成される。超音波振動子１０は、底面に接する円柱状フィルター３１から供給される水分を通過させると同時に噴霧するように多数の微細孔１０ａが穿孔形成される。【選択図】図１
0003189058.tif 000002
【実用新案登録請求の範囲】
【請求項１】
超音波振動子１０と、超音波を発生させる回路部１１と、この回路部１１に接続されて電源を供給するＵＳＢコネクター１２と、前記超音波振動子１０及び回路部１１を内部に装着して生水ボトル又は保温瓶を締結する給水筒結合部２１を有し、給水供給部３が装着され噴霧孔２２が上部に形成された本体２とから構成される携帯用の加湿器１において、
前記給水供給部３は、超音波振動子１０の下側に上段が接触されて水分を供給する円柱状フィルター３１と、この円柱状フィルター３１を収容しながら本体２の内側底面に形成された掛かり２３に差込み結合するように上段にフランジ３２部分が形成された支持管３３とから構成され、
前記超音波振動子１０は、底面に接する円柱状フィルター３１から供給される水分を通過させると同時に噴霧するように多数の微細孔１０ａが穿孔形成されることを特徴とする携帯用の加湿器。
【請求項２】
前記本体２に形成される給水筒結合部２１は、内側には生水ボトルがネジ締結される第１締結部２１ａが、外側には保温瓶がネジ締結される第２締結部２１ｂが形成されることを特徴とする請求項１に記載の携帯用の加湿器。
【請求項３】
前記給水供給部３の支持管３は、下部が閉鎖されて収容される円柱状フィルター３１を弾性力で支持するスプリング３４を収容するとともに下側周縁面に貫通孔３５を形成し、この貫通孔３５から帯形補助給水フィルター４が差し込まれて円柱状フィルター３１の底面にスプリングに３４よって密着されて水分の供給ができることを特徴とする請求項１に記載の携帯用の加湿器。
【請求項４】
前記給水供給部３の支持管３３の下部を貫通させて円柱状フィルター３１を流入するように構成し、この支持管３３の周縁面に上側先端が弾性力で可変するように下部が支持されるストッパー３６を形成し、このストッパー３６の先端が流入される円柱状フィルター３１の外側を圧着して円柱状フィルター３１の落下を防止するとともに超音波振動子１０に円柱状フィルター２１の上部を密着させることを特徴とする請求項１に記載の携帯用の加湿器。
【請求項５】
前記回路部１１に照明用ＬＥＤ１１ａが装着されて生水ボトルに光を照射できることを特徴とする請求項１に記載の携帯用の加湿器。
【請求項６】
前記本体２の上部に装飾キャップ５がネジ結合され、この装飾キャップ５に織物又は半透明フィルムで製造された装飾部材６が結合されて外観を装飾することを特徴とする請求項１に記載の携帯用の加湿器。
【請求項７】
前記加湿器１を装着した生水ボトルの底面が差込み結合できるように、上部に差込み溝７１が形成された重量体である支え台７をさらに含むことを特徴とする請求項１に記載の携帯用の加湿器。
【考案の詳細な説明】
【技術分野】
【０００１】
本考案は、生水を利用する携帯用の加湿器に関するもので、より詳しくは、携帯が簡便で、衛生的な水を通じて湿度の調節ができるようにコンビニ、マートなどで簡単に購買できる生水ボトル又は持ち回る保温瓶に簡単に締結して使用し、水ボトルの大きさに変化が生じても水を安定的に供給して加湿が持続的に行われるようにその構造を改良すると共に、装飾効果並びに使用の利便性が提供できるようにした携帯用の加湿器に関する。
【背景技術】
【０００２】
一般に、冬になると、室内の乾燥した空気のため、呼吸器疾患が発生して健康を害するので、それを防ぐために室内空気に水分を供給する。
【０００３】
前記の水分の供給方式は、容器に入ってある水の自然蒸発式、水を沸かす気化式、超音波振動子を用いた噴霧式、そして風を用いた送風式に分けられる。
【０００４】
前記のように多様な方式で空気を加湿する装置の中、一番使用が便利で機能や性能面からみて非常に優秀な超音波加湿器が広く使われている。
【０００５】
超音波加湿器は、噴霧装置である振動子及び電子回路部が内装された本体と、その本体の上部の一側に安着される水供給部と、霧化した水分が噴射される噴射管とから構成される。前記水供給部は、振動子の方へ水を移動させるための通路と適正水位まで水を張るための注入口が供えられ、その注入口には、水筒の開口部が位置するように差し込むための安着溝が形成されたものであり、水の供給と霧化の過程を説明すると、本体の上部の一側の水筒の安着溝に水筒の開口部が位置するように差し込むと、安着溝の突起が水筒の開口部に装着されたバルブを水筒の内部に押し上げて開放させると、同時に、水筒の中の水が安着溝に落下して流入され、それから注入口を通って振動子に移動して振動子によって霧化した水分が噴射管を通じて室内の空気中に分散する。
【０００６】
前記のような従来の超音波加湿器は、水を長時間供給するために本体の上部に大容量の水筒が装着された構造であるため、加湿器全体の大きさが大きくなり、使用空間を多く占めるだけでなく、保管及び移動の際に不便な短所があった。
【０００７】
そして、大容量の水筒の中に停滞した水は、長い時間入ったままの状態になるので、細菌が繁殖しやすいことからよく洗浄をしなければならないが、その構造が洗浄しにくい構造であるため、清潔を維持できない問題があった。
【０００８】
このような問題点を解決するために、マート、コンビニなどで簡単に購買できる生水を直接利用する生水用の加湿器を提案した。
【０００９】
前記の生水用の加湿器の中の一部は、一般の超音波加湿器の水筒の安着部に生水ボトルを逆様に差し込むように生水ボトルの連結口を単純に変更した構成であって、新鮮な清い水の入った生水ボトルを新しく交替して使用するため、常に清潔に使用できるが、やはり本体の大きさが大きくて、保管及び携帯に不便を招く。（特許文献１〜３参照）
【００１０】
また、生水用の加湿器の中の一つは、生水ボトルを逆様に立てずに直接に締結するように構成され、超音波振動子、給水ポンプ、給水フィルター、給水管、送風ファンなどを装着して加湿空気を室内に供給するように構成した。この生水用の加湿器もまた別の給水タンクを備えずに新しい生水ボトルを用いるため、その構成が単純化して生産原価が節減でき、差し込んで使用できることからその使用と携帯及び保管が非常に容易であるが、その構成が複雑で製造原価が高価で使用が難しく、特に、生水ボトルの流量が多いか少ないかによってその構成に適合な部品が装着された加湿器を選択して使用しなければならないので煩わしい。（特許文献４参照）
［先行技術文献］
［特許文献］
特許文献１：大韓民国  登録実用新案第２０−０２７００２８号（２００２．０３．２７. 公告）
特許文献２：大韓民国  登録実用新案第２０−０２７１９２３号（２００２．０４．１２. 公告）
特許文献３：大韓民国  登録実用新案第２０−０４４６５５９号（２００９．１１．１２. 公告）
特許文献４：大韓民国  公開特許第１０−２００９−００９２９２８号（２００９．０９．０２. 公開）
【考案の概要】
【考案が解決しようとする課題】
【００１１】
従って、本考案は、上述した従来の問題点を解決するためのもので、手軽に携帯できるようにその大きさ及び構成を簡素化するが、コンビニ、マートなどで簡単に購買できる生水ボトル又は清い水の入った保温瓶を簡単に締結して使用できるように構成し、また着脱の容易な帯形補助給水フィルター又は適した長さの円柱状フィルターに簡単に交替して容量の大きい生水ボトルに入った水も安定的に超音波振動子に供給して加湿が持続的に行われるように、その補助給水フィルター又は円柱状フィルターの締結構造を改良して使用の利便性を提供し、照明用ＬＥＤ、装飾キャップ、及び装飾部材などを通じて装飾効果を増大できるようにした携帯用の加湿器を提供することを目的とする。
【００１２】
また、本考案は、振動子を改良して給水フィルターから供給される水分を直接に吸入して噴霧できるように改良してその構造を簡便化した携帯用の加湿器を提供することを目的とする。
【課題を解決するための手段】
【００１３】
前記した本考案の目的を達成するための携帯用の加湿器は、超音波振動子と、超音波を発生させる回路部と、この回路部に接続されて電源を供給するＵＳＢコネクターと、前記超音波振動子及び回路部を内部に装着して生水ボトル又は保温瓶を締結する給水筒結合部を有し、給水供給部が装着され噴霧孔が上部に形成された本体と、を含み、前記給水供給部は、超音波振動子の下側に上段が接触されて水分を供給する円柱状フィルターと、この円柱状フィルターを収容しながら本体の内側底面に形成された掛かりに差込み結合するように上段にフランジ部分が形成された支持管から構成され、前記超音波振動子は、底面に接する円柱状フィルターから供給される水分を通過させると、同時に噴霧するように多数の微細孔が穿孔形成されることが技術的な構成上の特徴である。
【００１４】
また、本考案の目的を達成するための携帯用の加湿器は、生水ボトルや保温瓶を全て使用できるように第１、第２締結部を形成し、生水ボトルの大きさの変化にも容易に水分の供給ができるように、帯形補助フィルターの締結のため支持管に貫通孔を形成するか又は大きいか又は小さい円柱状フィルターの交替の利便性のために支持管にストッパーを形成したことが技術的な構成上の特徴である。
【００１５】
また、本考案の目的を達成するための携帯用の加湿器は、ＬＥＤを装着して照明装飾の効果を提供することができ、上部カバーに多様な形態の装飾キャップを結合できるように構成し、その装飾キャップに、織物又は半透明フィルムの素材で生水ボトルを包む装飾部材を結合して装飾効果を増大させ、補助支え台を備えて常に安定期に作動できるようにしたことが技術的な構成上の特徴である。
【考案の効果】
【００１６】
本考案は、前記のように構成され作用する本考案による携帯用の加湿器が、円柱状フィルターから供給される水分が振動する超音波振動子の微細孔を通じて噴霧されて加湿する構造であって、簡単に購買できる生水ボトルに便利に装着して使用でき、その構造が簡便で携帯が便利且つ簡便で、衛生的な水を通じて湿度の調節ができるように、コンビニ、マートなどで簡単に購買できる生水ボトル又は持ち回る保温瓶に簡単に締結して使用でき、芯タイプの帯形補助フィルターを、スプリングの弾性力で円柱状フィルターに密着するように結合させて、水分が伝達されるように使用すると、生水ボトルの大きさに変化があっても全て互換できるため、使用の利便性を提供することができる。
【００１７】
また、本考案は、支持管に形成されたストッパーを用いる場合、準備した大きくて小さい円柱状フィルターの中、生水ボトルの大きさに適した長さのものを選択して差し込むと、落下が防止されるとともに超音波振動子に安定的に密着できるので、加湿が円滑に持続的に行われ、円柱状フィルターの交替が容易であることから使用の利便性を提供する。
【００１８】
また、本考案は、照明用ＬＥＤと、上部カバーに結合される多様な形態の装飾キャップ及び生水筒を包む装飾部材を通じて、照明装飾及び外形装飾の効果が向上でき、重量体である支え台を用いて、安定的な直立状態を維持できるため使用が非常に便利である。
【図面の簡単な説明】
【００１９】
【図１】本考案による携帯用の加湿器を示した分解斜視図。
【図２ａ】本考案による携帯用の加湿器の給水供給部の結合状態を示した一部の拡大断面図。
【図２ｂ】本考案による携帯用の加湿器の給水供給部の結合状態を示した一部の拡大断面図。
【図３】本考案による携帯用の加湿器の他の実施例の給水供給部を示した分解斜視図。
【図４】図３の給水供給部が装着されて照明用ＬＥＤが装着された状態を示した一部の拡大断面図。
【図５】図３の給水供給部の支持管に差し込まれて結合される円柱状フィルターの大きさと生水ボトルの大きさを比較して示した断面図。
【図６】本考案の上部カバーに装飾キャップが結合される状態を示した分解斜視図。
【図７】本考案の上部カバーに装着された装飾キャップに装飾部材が結合され、生水ボトルの下部が差し込まれて直立状態を維持させる支え台が結合された状態を示した斜視図。
【考案を実施するための形態】
【００２０】
以下、添付した図面を参照して本考案の携帯用の加湿器を詳細に説明する。
【００２１】
本考案の携帯用の加湿器１は、添付した図１及び図２ａのように、コンビニ、マートなどで簡単に購買できる２５０ｍｌ又は５００ｍｌの生水ボトル又は持ち回る保温瓶に簡単に締結して使用するとともに携帯が便利になるようにその構造を改良する。
【００２２】
まず、本考案は、超音波振動子１０と、超音波を発生させる回路部１１を装着して給水供給部３を結合させながら給水筒結合部２１を形成した本体２と、その本体２に装着された回路部１１に電気を供給するＵＳＢコネクター１２と、前記本体２に結合されながら超音波振動子１０によって霧化した水分粒子を噴霧するように噴霧孔２２とが形成された通常の構成要素を用いる。
【００２３】
本考案の核心技術の一つとして、前記超音波振動子１０は、生水ボトル又は保温瓶に下部が浸かって、水分を吸水した円柱状フィルター３１の上部が底面に接触する際に供給される水分を、上下振動による圧力作動で吸入貫通させながら上部へ霧化状態で噴霧できるように、金属箔版に円を描きながら、多数の微細孔１０ａが穿孔形成される。
【００２４】
従って、前記微細孔１０ａを有する超音波振動子１０は、上部へ水を供給して噴霧させる既存の超音波振動子よりその構造が簡便で小型化が可能であるため、携帯性が向上できる。
【００２５】
本考案のまた他の核心技術は、購買が便利な生水瓶や携帯する保温瓶に簡単に締結して使用でき、生水の容量の大きさに変化があっても持続的に水分を供給して加湿が行われるように本体２の給水筒結合部２１及び給水供給部３の構造を改良する。
【００２６】
即ち、前記の核心技術の一つである前記本体２の給水筒結合部２１は、図２ａのように、内側には生水ボトルがネジ締結される第１締結部２１ａが、外側には保温瓶がネジ締結される第２締結部２１ｂが形成されて、所望の生水ボトル又は保温瓶を選択して使用できる利便性を有する。
【００２７】
次に、前記の核心技術のまた一つである前記給水供給部３の第１実施例として図２ａ及び図２ｂを説明すると、給水供給部３は、超音波振動子１０の下側に上段周縁面が接触されて水分を供給する円柱状フィルター３１と、その円柱状フィルター３１を収容しながら本体２の内側の底面に形成された掛かり２３に差込み結合するように上段にフランジ３２部分が形成された支持管３３とを含む基本構成を用いるが、前記支持管３３の下部は、収容される円柱状フィルター３１及びスプリング３４の落下を防止するように閉鎖され、前記スプリング３４の弾性力によって円柱状フィルター３１の上部が超音波振動子１０の底面に密着するように維持させるとともに、高さの大きい生水ボトルの使用時に、円柱状フィルター３１へ水分が持続的に供給できるように支持管３３の下側周縁面に貫通孔３５を形成し、その貫通孔３５から帯形補助給水フィルター４が差し込まれてから支持管３３に収容された円柱状フィルター３１の底面に上側面が密着されて水分を供給するようにスプリング３４が下部面を上昇させるようになる。
【００２８】
前記帯形補助給水フィルター４は、織物や不織布などの水分の吸水力及び移動性の良好なものが用いられ、その携帯がフレキシブルであるため、５００ｍｌの生水ボトルの高さに適するようにその長さを製作するとしても、高さの低い２５０ｍｌの生水ボトルに使用する場合には、下段が自然に地に磨れるか又は重なる状態で水分を持続的に円柱状フィルター３１に伝達するので、その円柱状フィルター３１に伝達された水分は、超音波振動子１０に供給された後、噴霧される。
【００２９】
従って、前記フレキシブルな帯形補助給水フィルター４を、支持管３３の貫通孔３５に容易に差込み、スプリング３４の反発力により密着させると、水分を円柱状フィルター３１に持続的に供給できるため、生水ボトルの大きさに関係なく使用できる利便性を有する。
【００３０】
次に、前記核心技術の一つである前記給水供給部３の第２実施例として図３から図５を説明すると、給水供給部３は、超音波振動子１０の下側に上段周縁面が接触されて水分を供給する円柱状フィルター３１と、その円柱状フィルター３１を収容しながら本体２の内側底面に形成された掛かり２３に差込み結合するように上段にフランジ３２部分が形成された支持管３３とを含む基本構成を用いるが、前記支持管３３の下部は、円柱状フィルター３１が容易に差し込まれるように入口を拡張させながら開放させ、支持管３３から差し込まれた円柱状フィルター３１が、自重により落下できないようにするとともに、円柱状フィルター３１の上部が、超音波振動子１０の底面に密着した状態で維持させ得るように支持管３３の周縁面にストッパー３６を形成する。
【００３１】
即ち、前記ストッパー３６は、支持管３３の周縁面に上側先端が弾性力で可変できるように下部が支持されるように形成され、そのストッパー３６の先端は、図４のように、支持管３３から流入される円柱状フィルター３１の外側を圧着して円柱状フィルター３１の落下を防止するとともに、超音波振動子１０に円柱状フィルター３１の上部を密着させる役割を果たす。
【００３２】
そして、前記ストッパー３６は、弾性力が先端に作用されるため、その先端は、円柱状フィルター３１が自重により落下（下降）することを防止できるための掛かりの役割を遂行するとともに、円柱状フィルター３１の交替のために、円柱状フィルター３１を支持管３３の上側へ押し出す際には、自然に広がるように便利に交替が行われる。
【００３３】
従って、前記支持管３３にストッパー３６を形成した場合には、円柱状フィルター３１の交替が容易であるため、図５のように、生水ボトルの大きさに適した円柱状フィルター３１を支持管３３の下側から流入させた後、上側に排出させる簡単な作業を通じて交替の利便性を提供する。
【００３４】
また、本考案は、図４のように、回路部１１に照明用ＬＥＤ１１ａを装着して生水ボトルに光を照射できるようにすることから、持続的又は点滅する光線の表出を通じて雰囲気を改選して美感が向上できる。
【００３５】
また、本考案は、図６のように、本体２の上部に多様な形状の装飾キャップ５がネジ結合され、その装飾キャップ５に、図７のように織物又は半透明フィルムで製造された装飾部材６を結合させると、その外観が美麗になり装飾効果が増大する。
【００３６】
また、本考案は、図７のように、前記生水ボトルに入っていた生水を全部使用する場合、自体の重量が軽くなって、小さな衝撃にも直立状態を維持することができなくて倒れる可能性があるので、これを防止するために、生水ボトルの底面を、差し込んで結合できるように、上部に差込み溝７１が形成された重量体である支え台７がさらに含まれる。
【００３７】
以上に、本考案の好ましい実施例に関して説明且つ図示したが、前記図示され説明されたそのままの構成及び作用に限定する訳ではない。従って、前記の実施例を適切に変更及び修正可能であることが当業者にとってはよく理解できることであるので、適切な変更及び修正と均等物は、本考案の範囲に属するものとして見なすべきである。
【符号の説明】
【００３８】
１：加湿器
１０：超音波振動子
１１：回路部
１２：ＵＳＢコネクター
２：本体
２１：給水筒結合部 
２２：噴霧孔
２３：掛かり
３：給水供給部
３１：円柱状フィルター
３２：フランジ
３３：支持管
３４：スプリング
３５：貫通孔
３６：ストッパー
４：補助給水フィルター
５：装飾キャップ
６：装飾部材
７：支え台
７１：差込み溝
【図１】
0003189058.tif 000003
【図２ａ】
0003189058.tif 000004
【図３】
0003189058.tif 000005
【図６】
0003189058.tif 000006
【図２ｂ】
0003189058.tif 000007
【図４】
0003189058.tif 000008
【図５】
0003189058.tif 000009
【図７】
0003189058.tif 000010